(57)【特許請求の範囲】
【請求項１】
送受切換え器から信号を受信する受信機と、
ベースバンド信号を出力するベースバンドユニットと、
前記ベースバンド信号を変調して、変調された信号を出力する変調器と、
前記変調された信号を増幅して、前記送受切換え器に送信信号を出力する送信増幅器と、
前記送信信号からエンベロープ信号を取得し、前記送信増幅器のゲインを調整するために、前記エンベロープ信号を前記送信増幅器に直接供給する、エンベロープ検波器と、
を備えることを特徴とする送受信機。
【請求項２】
前記エンベロープ信号は前記送信信号の電力に比例する請求項１に記載の送受信機。
【請求項３】
ベースバンド信号を出力するベースバンドユニットと、
前記ベースバンド信号を変調して、変調された信号を出力する変調器と、
前記変調された信号を増幅して、送信信号を出力する送信増幅器と、
前記ベースバンド信号から仕事関数を生成する仕事関数生成器であって、前記仕事関数は複数の周波数係数を含んでいる、仕事関数生成器と、
前記仕事関数をアナログ電圧化されたエンベロープ信号に変換するデジタル／アナログ変換器と、
前記送信増幅器のゲインを制御するために、前記エンベロープ信号を前記送信増幅器に供給するエンベロープ信号供給器と、
を備えることを特徴とする送信機。
【請求項４】
送信機の隣接チャンネル電力比を増加させる方法であって、
ベースバンドユニットによりベースバンド信号を形成し、
前記ベースバンド信号を変調して変調された信号を形成し、
送信増幅器を用いて前記変調された信号を増幅して、送受切換え器に送信信号を提供し、
前記ベースバンド信号から、複数の周波数係数を含んでいる仕事関数を生成し、
前記仕事関数を、アナログ電圧化されたエンベロープ信号に変換し、
前記エンベロープ信号を、前記送信増幅器に供給し、
前記送信信号に比例する前記エンベロープ信号を用いて、前記送信増幅器の利得を調整する
各段階を備える方法。
【請求項５】
前記エンベロープ信号は前記送信信号の電力に比例する請求項４に記載の方法。
【請求項６】
送信機の隣接チャンネル電力比を増加させる方法であって、
前記送信機の増幅器により送信信号を増幅し、
送受切換え器を介して前記増幅された送信信号を送信し、
前記増幅された送信信号の電力に比例するエンベロープ信号を、前記増幅された送信信号から取得し、
前記増幅器のゲインを調整するために、前記エンベロープ信号を前記増幅器に直接供給する
各段階を備える方法。
【請求項７】
各電力係数を、各周波数係数に関連づけて、当該送信機はキャリブレートされる、請求項３に記載の送信機。
【発明の詳細な説明】
【０００１】
【発明の属する技術分野】
本発明は、送受信機における送信機の隣接チャンネル電力比（ACPR）を増強する装置及び方法に関するものである。ここで、送受信機としては、例えば、それぞれ、９００MHｚと１．９GHｚのセルラー及び／又はパーソナル通信システム（PCS ）帯域で動作するコードディビジョンマルチプルアクセス（CDMA）電話機又はタイムディビジョンマルチプルアクセス（TDMA）電話機であり、或いは、ノンコンスタントエンベロープ信号を送信する如何なる送信装置等である。
【０００２】
【従来技術】
移動送受信機、例えば、CDMA／TDMA移動電話受話器は、一つの重要な問題に直面している。その問題は、送信機電力増幅器（PA）の非線形性に起因した送信信号の歪である。その電力増幅器の非線形性は、送信機のACPRを劣化又は低下させる。そのACPRは、例えば、９００MHｚの送信機中心周波数から、例えば、０．９MHｚ周波数がずれた所での３０ｋHz帯域幅の電力に対する送信電力（例えば、１．２３MHｚの全帯域幅での）の比として定義される。
【０００３】
例えば、電力増幅器、ドライバー、及びミキサの如き線形性が高い送信機のブロックは、高価であり、しかも大きな電流を必要とするので、移動受話器のバッテリをすぐに消耗してしまう。これらの高線形性の電力増幅器、ドライバー、及びミキサの代わりに、非線形電力増幅器を線形化にする試みが行われてきた。
送信機電力増幅器を線形化する従来の方法は、送信信号と基準信号との間にフィードフォワード又はフィードバック閉ループ補償技術を用いる。
【０００４】
【発明が解決しようとする課題】
しかし、これらの技術を、移動電話機に応用すれば、高価となる。
高線形性の送信機ブロックに対するその必要を緩和するために、欧州特許出願No，0 435 578 では、入力信号と電力増幅器との間に設けた歪補償回路を用いて、送信機の電力増幅器を補償することが提案されている。エンベロープ検波回路は、電力増幅器出力のエンベロープを検出して、歪補償回路を制御する制御回路にその検出出力を提供する。
【０００５】
この回路は、電力増幅器の非線形化による歪を低減するが、追加の回路要素、例えば、その制御回路及び歪補償回路が必要となる。これらの追加回路は、移動電話機の大きさ及び電力消費の拡大につながる。
従って、送信機の電流又は電力消費を最小限にするために、大きな3 次インタセプト点（TO1 ）を有する高線形LNA を用いることなく、且つ最小限の追加回路で、歪を減少させる必要がある。
【０００６】
本発明の一つの目的は、上述した従来の送信機又は送受信機に存在する問題点を解決できる制御された送受信機又は送信機、及び制御方法を提供することにある。
本発明のもう一つの目的は、高線形電力増幅器に頼らず、増強されたACPRを有する送信機又は送受信機を提供することにある。
【０００７】
【課題を解決するための手段】
上記目的及び他の目的を達成するために、本発明は、ベースバンド信号を出力するバースバンドユニットを有する送受信機又は送信機と、そのベースバンド信号を変調して変調された信号を出力する変調器を提供する。送信増幅器がその変調された信号を増幅して、例えば、送受切換え器に送信信号を出力する。その送信増幅器はエンベロープ信号により変調された利得を有する。そのエンベロープ信号は、その送信信号に比例しており、例えば、その送信信号の電力に比例している。
【０００８】
そのエンベロープ信号は、そのベースバンドユニットによって提供される。本発明の好ましい実施例において、そのエンベロープ信号は、その送信増幅器の出力を受信するエンベロープ検波器によって提供される。
本発明は、他の実施例において、送信機の隣接チャンネル電力比を増強させる方法を提供する。その方法は、
ベースバンドユニットを用いてベースバンド信号を生成し、
そのベースバンド信号を変調して変調された信号を生成し、
送信増幅器を用いてその変調された信号を増幅して送信信号を提供し、
その送信信号に比例し、例えば、その送信信号の電力に比例するエンベロープ信号を用いて、その送信増幅器の利得を変調する各段階を有する。
【０００９】
【発明の実施の形態】
本発明の実施例を、図面に基づいて説明する。
本発明は、概括的に、送受信機又は送信機の電力増幅器におけるACPRを増強することに関するものである。そのACPRは、一般に、電力増幅器の非線形性によるものである。実施例では、送受信機は、CDMA電話機又は関連RFベースバンド集積回路（ICs ）を含む。
【００１０】
閉ループ補償の代わりに、送信機電力増幅器（PA）の開ループ補償が用いられる。また、追加回路の利用は最小限にされ、且つ電力増幅器は、送信機集積回路チップ自身内に、1 次線形化に対し、外部補償がなしに、例えば、デジタル制御プロセッサー（DSP ）からの何らの制御なしに線形化にされる。より高次の線形化を求めるために、DSP を介する開ループ補償が用いられてもよい。送信機電力増幅器の線形化は、その電力増幅器の開ループ利得変調を用いて行われる。
【００１１】
図１は、電力増幅器の開ループ利得変調を用いる電力増幅器の1 次線形化によって、そのACPRを減少するために用いられる送受信機回路１００を示す。
その送受信機回路１００は、送受切換え器１２０を介してアンテナ１１５と選択的に接続される送信セクション１０５及び受信セクション１１０を有する。その送受切換え器１２０は、周波数に基づいて信号のルートを選択的に決定する。例えば、受信周波数を有する信号は実質的に受信セクション１１０に送られ、且つ実質的に送信セクション１０５から隔離される。同様に、送信周波数を有する信号は実質的に送信セクション１０５からアンテナ１１５に送られ、且つ実質的に受信セクション１１０から隔離される。受信セクション１１０は増幅器を有しており、例えば、LNA １２５である。そのLNA １２５は、送受切換え器１２０を介してアンテナ１１５から無線周波数（RF）信号を受信するために接続される。
【００１２】
そのLNA １２５は、受信されたRF信号x'(t) を増幅して、増幅された信号y'(t) を出力する。イメージフィルタ１３０と呼ばれる第一フィルタは、その増幅されたRF信号y'(t) をフィルタして、フィルタされた信号をミキサ１３５に提供する。実施例において、そのイメージフィルタ１３０は、受信帯域内の信号を通過させ且つ受信帯域外の信号を遮断する広帯域フィルタである。ミキサ１３５は、そのフィルタされたRF信号を局部発振器１４５からの局部発振信号１４０とミックスさせることによって、そのフィルタされたRF信号を中間周波数（IF）信号に下方変換する。
【００１３】
そのIF信号は、例えば、狭帯域であるチャンネルフィルタ１５０によってフィルタされる。そのチャンネルフィルタ１５０からフィルタされたIF信号は、同位相及び直交位相（IQ）復調器、自動利得制御（AGC ）回路、及びフィルタを有する復調器ユニット１５５に提供される。その復調器１５５は、受信したベースバンド信号I R (t) 及びQ R (t) を復調して受信ベースバンドユニット１６０に出力する。その受信ベースバンドユニット１６０は、更なる処理、例えば、受信情報を抽出するために、アナログ／デジタル変換機を介して、その復調されたベースバンド信号をプロセッサー、例えば、デジタル信号プロセッサー（DSP ）に提供する。
【００１４】
送信ベースバンドユニット１６５が、そのDSP からデジタル情報信号I(n)及びQ(n)を受信して、これらの信号を送信のためにアナログ送信ベースバンド信号I(t)及びQ(t)に変換する。特に、その送信ベースバンドユニット１６５は、その送信ベースバンド信号I(t)及びQ(t)を送信ユニット１００の変調器ユニット１７０に提供する。その変調器１７０は、AGC 回路及びフィルタだけでなく、IQ変調器を有する。その変調器１７０は、フィルタ、変調、更に周知の局部発振器を用いたRFへの上方変換を行うことによって、そのベースバンド信号I(t)及びQ(t)を変調されたRF信号s(t)に変換する。
【００１５】
その変調されたRF信号s(t)は、電力増幅器（PA）１７５によって増幅される。その電力増幅器（PA）１７５は、増幅された信号a1s(t)を出力する。エンベロープ検波器１７７が、そのPA１７５から出力されたRF増幅された信号a1s(t)を受信して、その受信した信号からエンベロープ信号e(t)を検出かつ抽出して、PA１７５の制御ポートに直接提供する。そのエンベロープ信号e(t)は、線形化にするためのPA１７５の利得を変調する。
【００１６】
図２は、PA１７５、エンベロープ検波器１７７と共に、変調器ユニット１７０をより詳細示す。特に、変調器ユニット１７０は、ベースバンド信号I(t)、Q(t)をそれぞれに受信する第一及び第二ミキサM1、M2を有する。局部発振器LOが、基準信号をミキサM1、M2に提供する。その基準信号が位相変換器１９０によって90度位相変換される。第二ミキサM2は、その変換された基準信号を受信する。ミキサM1、M2の変調されたRF出力信号が、加算器１９５に提供される。その加算器１９５は、これらの出力信号を合成して、利得a1を有するPA１７５にRF信号s(t)を提供する。それから、PA１７５は、入力RF信号s(t)を増幅して、その増幅されたRF信号a1s(t)を、図１に示すようにアンテナ１１５へ送信するために、送受切換え器１２０に出力する。
【００１７】
図１、２に示すように、歪を減少し且つ送信機ACPRを増強するために、PA１７５のRF出力a1s(t)は、エンベロープ検波器１７７に提供される。エンベロープ検波器１７７は、その増幅されたRF信号a1s(t)のエンベロープを検出して、PA１７５の利得を制御するためにエンベロープ信号e(t)を出力する。好ましくは、そのエンベロープ信号e(t)は、増幅されたRF信号a1s(t)のエンベロープ変化の２乗に一致して、そのPA１７５の利得を変化させ又は変調させる。
【００１８】
特に、その増幅されたRF信号a1s(t)の瞬時レベルが、例えば歪又は非線形化に起因したPA１７５の利得損失によって減少されれば、そのPA１７５の利得は、その利得変調によって増強される。このような利得補償は、いつまでも作動しており、PA出力が圧縮するときそのPA利得を増強する。これに対して、従来のPA利得制御は、PA信号が増強してある閾値に到達する時を検出する。その閾値に到達する状態において、そのPA信号をその閾値以下に維持し、飽和を防止し又はPAの非線形化を減少するために、そのPA利得が減少される。
【００１９】
図８に示す他の実施例では、より高次の線形化が行われ、そのエンベロープ信号e(t)は、その増幅されたRF信号a1s(t)のエンベロープから直接引き出されるものではなく、むしろ、その利得変調信号、即ち、そのエンベロープ信号e(t)は、図１に示すように送信ベースバンドユニット１６５によって受信された送信ベースバンドデジタル信号I(n)、Q(n)から発生される。
【００２０】
高い電流を消費する高線形PA１７５に対する需要を緩和するために、そのACPRは増強される。特に、そのACPRは、線形化にするためのPA１７５おいて変調を行うことによって増強される。そこで、PA１７５の利得は、変化され又は変調される。図１，２に示すように、PA利得は、その増幅された信号a1s(t)のエンベロープから得られたエンベロープ信号e(t)を用いて変調される。
【００２１】
その1 次線形化は、図２に示す装置に一致して行われ、そこで、ミキサM1、M2、加算器１９５、及び局部発振器LOは、局部発振器LOから提供されたキャリヤ信号ωc の直交増幅変調を実施する。その非線形PA１７５は、電圧又は電量制御利得を有し、図３に示すように式（１）を有する構成される。その式（１）において、PA入力信号はx(t)であり、エンベロープ又は利得変調信号はe(t)であり、PA出力信号は、式（１）によって与えられるy(t)である。
【００２２】
y(t) = a1[1+e(t)]x(t)+a3x3(t)           (1)
図４、５は、図１、２に示すエンベロープ検波器１７７の変形例１７７‘、１７７“を示す。図４に示すように、逓倍器３１０が増幅された出力信号y(t)を受信し、その出力信号y(t)を２乗することによって、２乗出力信号、即ち、y2(t) を出力する。その２乗信号y2(t) は、フィルタ３２０によってフィルタされる。そのフィルタ３２０は、例えば、抵抗R とキャパシタC を有するRC回路を備える。そこで、1/τ=1/(RC)<< ωc ωc は、RF信号y(t)のキャリア周波数である。そのフィルタされた信号は、利得E を有するエンベロープ増幅器３３０に提供される。このように、例えば、E はエンベロープ利得であり、初期キャリブレーションの間、プリセットされる。
【００２３】
図５に示す実施例においては、電力検波器３４０が、PA出力信号y(t)を受信してその信号の２乗信号y2(t) を出力する逓倍器３１０に取って代わる。この実施例において、電力検波器３４０は、ショットキーダイオードである。電力信号が電圧信号の２乗に関係するので、その電力メーター３４０の出力がその２乗された電圧信号y2(t) に比例しており、即ち、逓倍器３１０の出力と同一である（図５）。
【００２４】
PA１７５を線形化にすることは、同時に出願された関連出願：“受信機における送信機誘導混変調の減少（Reduction of Transmitter Induced Cross Modulation in Receiver ）”に記載されたように、受信機における送信機誘導混変調ノイズを減少するためのLNA １２５を線形することと類似している。しかし、PA１７５における利得圧縮がLNA の感度低下の半分である。特に、エンベロープ利得E は、PA線形化のために約０．５に設定されることに対して、LNA 混変調線形化のために約１に設定される。
【００２５】
図６は、約０．６５、TO1 ＝15dBm 、且つ送信電力P TX＝0dBmのエンベロープ利得E （図４と５）に対するCDMA送信信号のスペクトル４００を示す。TO1 はPA１７５の第3 次インタセプト点であり、PA１７５の非線形性の一つの尺度である。特に、TO1 は、PA線形性が増加するにつれ増加する。そのスペクトル４００は、３０kHz 解像度帯域幅に対するものである。そのACPRは、送信電力（１．２３MHz 全帯域幅）と、中央ローブ４１０の９００MHz の中心周波数fcから０．９MHｚ周波数オフセット４０５における３０kHz 電力との比として定義される。その中心周波数fcからオフセット周波数f0ffset  だけオフセットされた周波数における非補償ACPRが、図６の参照符号４１５によって示される。
【００２６】
その非補償送信信号は、破線によって示され、一方、補償された送信信号は、点線によって示され、ここでエンベロープ利得E は０．６５であり、図７の点５１０から分かるように最適利得E である。図６のスベクトラム４００から分かるように、ACPRは、約９０dBの変調器入力又はソースACPR４２０に対し、約５５dBにある点AAから約８８dBにある点BBまでに改善される。点BBにおける補償されたACPRは、約、オフセット周波数f0ffset ４０５だけ中心周波数f c からオフセットされた周波数にある。
【００２７】
図７は、二倍の、即ち、２E のエンベロープ利得と、TO1 ＝15dBm 及び送信機電力P TX＝0dBmに対するACPRとの比のシミュレーション５００を示す。このシミュレーション５００から、エンベロープ利得E の最適値５１０が選ばれ、その値は約０．６５（図６のスペクトル４００に用いられるように）で、そこでP175のACPRが最大である。このシミュレーション５００から、エンベロープ利得E に対する最適値が決定され、図４と図５に示すようにエンベロープ検波器に用いられる。単一の3 次非線形電力増幅器（PA）１７５と同様に、二段カスケードの電力増幅器が用いられうる。その二段カスケードのACPRが改善又は増大がなされ、ここで、各段階が第3 次インタセプト（TO1 ）における減少に等しく貢献する。その二段PAに対する最適利得エンベロープE が単一段PAのそれと同様であることがわかる。
【００２８】
エンベロープ電力検波器で利得変調を行う代わりに、図８に示すように、送信機セクション１０５‘を有する装置６００を用いて簡単にされた開ループ先行歪ませを行うことによって同一の線形化を得ることが可能である。明瞭にするために、図１に示す送受信機の部分は、図８に示されていない。しかし、装置６００が図１に示す送受信機１００と類似する送受信機の一部である。そこで、エンベロープ検波器１７７は、除かれ、エンベロープ又は変調信号e(t)を発生するのに用いられていない。その代わりに、エンベロープ信号e(t)は、送信ベースバンドユニット１６５から提供された時間変化ベースバンド信号I(t)、Q(t)から発生され、或いは、プロセッサー、例えば、DSP から提供されたデジタル信号I(n)、Q(n)から発生される。
【００２９】
図８に示すように、DSP は、送信デジタルベースバンド信号I(n)、Q(n)を出力する。これらの信号I(n)、Q(n)は、アンテナ１１５を介して送信されるためにPA１７５によって増幅される。特に、そのデジタルベースバンド信号I(n)、Q(n)は、デジタル／アナログ変換器６１０、６１５によってアナログ形に変換され、更にフィルタ６２０、６２５によってフィルタされ、それぞれ、フィルタされたアナログベースバンド信号I(n)、Q(n)となる。これらの信号は、図２に基づいて述べたのと同じようにPA１７５に提供される。
【００３０】
PA１７５に入力されたRFのエンベロープを検出するエンベロープ検波器の代わりに、図１に基づいて記載したように、PA１７５を変調するために用いられたエンベロープ信号e(t)は、図８に示す開ループ装置６００においてデジタルベースバンド信号I(n)、Q(n)から直接得られる。特に、２乗ユニット６３０、６３５がそのデジタルベースバンド信号I(n)、Q(n)をそれぞれに２乗させて、その２乗デジタルIQ信号を加算器６４０に提供する。その加算器６４０は、その２乗デジタル信号I2(n) 、Q2(n) を加算して、その加算結果を仕事関数発生器f (x) ６５０に提供する。その仕事関数発生器f (x) ６５０の出力が、デジタル／アナログ変換器（D/A ）６５５によってアナログ電圧に変換され、エンベロープ信号e(t)となる。そのエンベロープ信号e(t)は、フィルタ６７０を介して、その利得を変調するための電圧制御されたPA１７５の制御ポートに提供される。そのエリアシング防止フィルタ６７０は、D/A ６５５の出力から、不要高周波数信号を取り除く。
【００３１】
その仕事関数f (x) は、式（２）によって与えられる。
f (x) = w1x + w2x2 + w3x3 + ... w i x i + ...               (2)
移動電話機は、最大ACPRに対し、全ての係数w i 対
【００３２】
【外１】
0004386999.tif 000002
【００３３】
のプロダクション中、キャリブレートされる。例えば、ここで、
【００３４】
【外２】
0004386999.tif 000003
【００３５】
はPA１７５の出力における平均送信電力である。実施例において、このキャリブレーションは、セルラーバンドにおいて、０．９MHｚオフセットで行われる。そのキャリブレートされた結果が、移動電話機のメモリに保存される。操作中、例えば、係数wiは、
【００３６】
【外３】
0004386999.tif 000004
【００３７】
のセット値のために、そのメモリから読み出される。
【００３８】
図８に示す送受信機６００において行われる開ループ線形化は、全ての係数の最適値を決定するために、キャリブレーションが必要となる。これに対して、図１に示す送受信機１００のPAフィードバックにエンベロープ検波器１７７を用いることは、PA１７５がそのPA１７５の入力と共に変化する信号によって変調されるので、簡単なキャリブレーションのみが必要となる。この簡単なキャリブレーションは、一つの特定の送信周波数f TXにおいて単一点のみ、例えば、最大送信電力P TXで、行われてもよい。
【００３９】
先に図１に基づいて記述した定値E を用いる線形化技術と異なり、PAの先行歪ませは、図８に示すように、多くの場合のようにベースバンド信号I(t)及びQ(t)が電力制御に用いられていなければ、エンベロープ利得E は送信電力と共に線形に変化する必要がある。その全エンベロープ利得は、式（３）によって与えられる。
【００４０】
【数１】
0004386999.tif 000005
【００４１】
ここで、
【００４２】
【外４】
0004386999.tif 000006
【００４３】
は、線形にされている非線形装置、即ち、PA１７５の平均送信電力である。
本発明の他の実施例において、ACPRを増加する方法が提供される。特に、これらの方法は、PA１７５の利得を変調するために、エンベロープ信号e(t)を用いることによってACPRを増加することを含む。図８の送受信機６００を用いる一つの方法において、エンベロープ信号e(t)は、送信ベースバンドユニット１６５に提供された送信ベースバンド信号から引き出される（図１）。もう一つの方法において、そのエンベロープ信号e(t)は、図１〜図５に示すように、エンベロープ検波器１７７を用いるPA１７５の出力から直接引き出される。そのエンベロープ検波器１７７はPA１７５に提供されたRF出力信号a1s(t)のエンベロープを検出する。
【００４４】
上述した本発明の好ましい実施例は、本発明を限定するものではない。当業界の如何なる熟練者は、本発明の要旨及び範囲内において、各種の変更及び修飾を行うことができる。従って、本発明の保護範囲は、特許請求範囲に準ずる。
【図面の簡単な説明】
【図１】本発明に係る電力増幅器（PA）を有する送受信機回路を示し、エンベロープ検波器を用いて直接そのPA出力から引き出されたエンベロープ信号によってそのPAが変調されることを示す図である。
【図２】本発明に係る図１に示す送受信機回路の一部分としての変調器ユニットをより詳細に示す図である。
【図３】本発明に係る図１に示す送受信機回路に用いられた電圧又は電流制御増幅器、例えば、電力増幅器又はLNA を示す図である。
【図４】本発明に係る図１に示す送受信機回路に用いられたエンベロープ検波器の異なる例を示す図である。
【図５】本発明に係る図１に示す送受信機回路に用いられたエンベロープ検波器の異なる例を示す図である。
【図６】本発明に係るCDMAの送信された信号のスペクトルを示す図である。
【図７】本発明に係る二倍にされたエンベロープ利得対ACPRのプロットを示す図である。
【図８】本発明の他の実施例に係るACPR増のための開ループ電力増幅器利得変調を有する送受信機回路を示すである。
【符号の説明】
１００          送受信機回路
１０５          送信セクション
１１０          受信セクション
１１５          アンテナ
１２０          送受切換え器
１３０          イメージフィルタ
１３５          ミキサ
１４０          局部発振信号
１４５          局部発振器
１５０          チャンネルフィルタ
１５５          復調器ユニット
１６０          受信ベースバンドユニット
１６５          送信ベースバンドユニット
１７０          変調器ユニット
１７５          電力増幅器（PA）
１７７          エンベロープ検波器
１９０          位相変換器
M1、M2          ミキサ
３１０          逓倍器
３２０          フィルタ
３３０          エンベロープ増幅器
３４０          電力検波器
４００          スペクトル
５００          シミュレーション
６１０、６１５、６５５  D/A 変換器
６２０、６２５、６７０  フィルタ
６３０、６３５          ２乗ユニット
６５０          仕事関数発生器f (x) 
【図１】
0004386999.tif 000007
【図２】
0004386999.tif 000008
【図３】
0004386999.tif 000009
【図４】
0004386999.tif 000010
【図５】
0004386999.tif 000011
【図６】
0004386999.tif 000012
【図７】
0004386999.tif 000013
【図８】
0004386999.tif 000014